(57)【要約】【課題】  従来、エスカレーターの運転方向や速度感が把握できずに発生する視覚弱者の転倒や逆乗り込みによる転倒事故等が課題となっていた。また、手摺ベルトの表面が滑り易く手先の筋力が弱い高齢者や障害者が手摺ベルトを確実に把持できず事故に至る危険があった。【解決手段】  この課題を解決するため、往路から復路にかけて反転して移動し、乗客を輸送する踏段群４と、この踏段群４と同期して往路から復路にかけて反転して移動する手摺ベルト６等を備えたエスカレーター１において、前記手摺ベルト６の表面平坦部６ａと両縁部６ｂを被う印刷シート６ＡＡをその全長方向に貼り付け、この印刷シート６ＡＡの表面平坦部には、適宜の間隔を置いて前記手摺ベルト６と色を異にする円形等の方向表示マーク６Ａを備え、かつこの印刷シート６ＡＡの両縁部の全長方向には、この印刷シート６ＡＡの平坦部表面よりも摩擦係数が大きくなる加工を施した滑り止め部ｎを設けた主として視覚弱者向けエスカレーターの手摺ベルトの構成とした。【選択図】図４
2013216485.tif 000002
【特許請求の範囲】
【請求項１】
往路から復路にかけて反転して移動し、乗客を輸送する踏段群と、この踏段群と同期して往路から復路にかけて反転して移動する手摺ベルトとを備えたエスカレーターにおいて、前記手摺ベルト表面の平坦部と両縁部被う印刷シートをその全長方向に貼り付け、この印刷シートの平坦部表面には、適宜の間隔を置いて前記手摺ベルトと色を異にする円形等の方向表示マークを備え、かつこの印刷シートの両縁部の全長方向には、この印刷シートの平坦部表面よりも摩擦係数が大きくなる加工を施した滑り止め部を設けたことを特徴とする主として視覚弱者向けエスカレーターの手摺ベルト。
【発明の詳細な説明】
【技術分野】
【０００１】  本発明は、移動する踏段群が水平路あるいは傾斜路を形成して乗客輸送を行うもので、主として視覚弱者向けに好適なエスカレーター用手摺ベルトの構成に関する。
【背景技術】
【０００２】  ２００７年公表の国土交通省「バリアフリー整備ガイドライン」のエスカレーターの項に「印を付けることなどにより、ベルトの進行方向を表示する」規定が盛り込まれ、本発明の主たる名称である「視覚弱者向けエスカレーターの手摺ベルト」が様々に工夫されて幅広く普及する一方、その効果が視覚弱者は勿論、健常者の手摺ベルト利用率向上（安定的利用姿勢保持）および知的障害者に対する効用も認知され始めている。ここで、上記「印を付ける」具体的な方法としては、下記特許文献に記載の方法が公知となっている。
【先行技術文献】
【０００３】
【特許文献】
【特許文献】  国際公開番号Ｗ０２００７／１３９１８６号公報
【発明の概要】
【発明が解決しようとする課題】
【０００４】  特許文献に開示されたものは、手摺ベルトの表面に印刷シートを有し、その印刷シートには、手摺ベルトの移動方向を表示する手摺ベルトの地色とは異色の方向マークを印刷し、この方向マーク付き印刷シ−トを手摺ベルトの表面に接着して貼り付ける構成を開示している。この方向マークが、上記の「手摺ベルトの進行方向を表示する印」となり、エスカレーターの存在とその速度感を視覚によって認知（乗り込み時の運転速度に対する体重移動バランスの安定化等）させるとともに、逆乗り込み（降り口側から乗り込む等）阻止効果によって、転倒事故を防止する目的を果たすようになっている。実際に、２０１２年３月に首都圏の地下鉄構内エスカレーターで印刷シート付き手摺ベルトを施工して実利用状態を調査したところ、手摺ベルト利用率（手摺を掴む乗客の比率）は施工前が８％であったのに対して施工後は２２％と３倍近くに増加、また、視覚障害者や高齢者に接触して転倒の巻き添えにする危険性を孕む踏段群の歩行利用（踏段の駆け下りなど）が施工前が４２％であったのに対して５％と１／８程度まで低下、すなわちエスカレーターの安全利用に大きく寄与していることが分かった。しかしながら、上記特許文献に記載の構成は、印刷シートの表面全体が、樹脂フィルム特有のツルツルした「平滑表面」であることから手摺ベルトを握った指先が手摺ベルト断面両縁の半円形をした両縁部において滑り易く、安全装置が作動した場合などの急停止時に指が滑って体を支え切れずに転倒するという問題があった。この問題は、手摺ベルトを日々清掃し、美麗な表面を保つほど起こり易いもので、印刷シートの有無にかかわらず、特に手先の握力が劣る高齢者においてかねてから指摘されていた危険要素でもあった。【０００５】  本発明は、上記問題を解消するためになされたものであり、主として視覚弱者向けに方向マークの効果が発揮でき、また、握力が弱って手摺ベルトの把持力が低下した高齢者、あるいは把持のための筋力に障害のある乗客でも指先が滑り難く、安全に利用できるエスカレーター用手摺ベルトの構成を提供することを目的とする。
【課題を解決するための手段】
【０００６】  本発明は、上記目的を達成するために、人が乗る踏段群の両側に側壁として直立する欄干の上端を往路から復路にかけて反転して移動し、乗客を輸送する踏段群と、この踏段群と同期して往路から復路にかけて反転して移動する手摺ベルトとを備えたエスカレーターにおいて、前記手摺ベルト表面の平坦部と両縁部を被う幅を有する印刷シートをその全長方向に貼り付け、この印刷シートの平坦部表面には、適宜の間隔を置いて前記手摺ベルトと色を異にする円形等の方向表示マークを備え、かつこの印刷シートの両縁部の全長方向には、この印刷シートの表面平坦部よりも摩擦係数が大きくなる加工を施した滑り止め部を設けたことを特徴とする主として視覚弱者向け、高齢者向けエスカレーターの手摺ベルトを提供するためになされたものである。
【発明の効果】
【０００７】  上記の構成によれば、手摺ベルトの表面に、該手摺ベルトの表面色とは異色で目立ち易い円形等の方向マークが表示され、該方向マークが踏段群と同期して動くことから、視力の弱い障害者でも運転方向と速度感がより認識し易くなるとともに、危険な逆方向からの乗り込みや静から動への体重移動の失敗による転倒事故の低減に寄与できる。また、印刷シートの両縁部に設けた滑り止め部があることにより、手摺ベルトを握った親指と他の指の引っ掛かりが良くなって滑り難く、結果的に手摺ベルトの把持力が増し、握力の弱い高齢者や把持力障害者でも安全に利用できる効果を発揮するものである。
【図面の簡単な説明】
【０００８】
【図１】本発明の実施形態を示す全体側面図である。
【図２】図１のＸ−Ｘ線に沿う断面図である。
【図３】本発明の手摺ベルトの概念的単体斜視図である。
【図４】図２のＹ−Ｙ線に沿う断面図である。
【発明を実施するための形態】
【０００９】  以下、本発明になる主として視覚弱者向けエスカレーター用手摺ベルトの構成について、その実施形態を図１〜図４を用いて説明する。
【実施例】
【００１０】  図１、図２および図３において、輸送手段であるエスカレーター１の構成は、上階床２Ａと下階床２Ｂに装架される主フレーム３と、無端状に連結されて往路から復路にかけて反転して移動する踏段群４と、この踏段群４の両側に直立して側壁を形成する欄干５と、この欄干５の周縁の両反転部５Ａと５Ｂ間を移動する手摺ベルト６を備えている。また、手摺ベルト６は駆動歯車７の動力をチェーン８を介して駆動ローラ９等に伝達された動力によって摩擦駆動され、その往路は欄干５で、その復路は案内ローラ１０等によって支持されている。【００１１】  そして、本発明の対象となる手摺ベルト６は合成ゴムあるいはウレタン製であり、一般には芯材であるスチールワイヤを包むような表面平坦部６ａと表面両縁部６ｂが連なる略Ｃ字形断面に熱成型されて無端状に製造される。ここで、この手摺ベルト６の表面には、図２、図３に示すように欄干５の高さＨに相当する反転部５Ａ（反対側の反転部５Ｂも同様）の半円周範囲内に少なくても１個（１個あるいは複数個を意味し、図２には１個半を例示）存在する間隔Ｐをもって印刷された手摺ベルト６とは異色で円形等（菱形等でもよいが形状は特定しない）の目立ち易い形状の方向マーク６Ａを表示した印刷シート６ＡＡを貼り付けにより設けてある。さらに詳細には、この方向マーク６Ａは、手摺ベルト６の表面を被い、その全長に貼り付けられる図３に示す印刷シート６ＡＡに対して、手摺ベルト６の全体幅Ｗ１の両縁部６ｂを除いた平坦部６ａ（幅Ｗ２）の幅いっぱいに印刷されている。この場合、間隔Ｐの設定は、乗り口階床にいる視覚弱者がエスカレーター１を遠望した時に該エスカレーター１の正面に少なくても１個出てくる方向マーク６Ａの存在、すなわちエスカレーター１の運転方向と運転速度を容易に視認できることを意図したもので、実機検証したところ具体的には５０〜１５０ｃｍが適当である。また、視覚弱者が乗り口に達した時と乗り込んだ時は、欄干５の上面で目の高さに近い位置に方向マーク６Ａがあることによって視点が定まり、より近い位置で移動感覚も認識できて乗り込み（体重移動）のタイミングが取り易く、速度への追随意識も高まって転倒事故の低減に寄与できる。【００１２】  さらに、本発明の印刷シート６ＡＡは、図３および図４に示すように手摺ベルト６の両縁部６ｂ相当部である幅ｍの端部範囲に滑り止め塗料の塗布あるいは印刷、小穴加工、凹凸のエンボス加工などで形成されて手摺ベルト６表面の平坦部６ａに相当する部分よりも摩擦係数が大きく、両縁部分Ｍａを把持した指先が滑り難くした滑り止め部ｎを備えている。ここで、手摺ベルト６と印刷シート６ＡＡの接合関係について詳述すれば、図４に示すように印刷シート６ＡＡは平らなシート状のものを矢印Ｋのように丸めるように手摺ベルト６の略Ｃ字形断面の表面全域あるいは平坦部６ａ全面と両縁部６ｂの一部を被う長尺シートとなっている。さらに、印刷シート６ＡＡは方向マーク６Ａが印刷されるシート６ＢＢと、これの裏面側に接着され、かつ手摺ベルト６にも接着される接着剤層６ＣＣを備えるほか、場合によっては印刷シート６ＡＡの表面を被うラミネート層６Ｂｂで構成することもある。これら積層品の板厚ｔはミクロン〜１ｍｍ程度の薄膜となっている。【００１３】  一方、本発明の手摺ベルト６に印刷シート６ＡＡを貼り付ける構成は、貼り付ける直前に、該手摺ベルト６の表面にプライマー剤を図４に破線Ｍで示したように塗布し、しかる後に上記印刷シート６ＡＡを貼りつける手順をもって視覚弱者向けのエスカレーター用手摺ベルト６を提供するものである。ここで、プライマー剤Ｍは、アルコール系溶剤などで手摺ベルト６表面の汚れ、油脂分を除去した上で塗布するもので、実験によれば、成分含有率はシクロヘキサンが５５〜６５％、酢酸ブチルと酢酸エチルがそれぞれ１０〜２０％の溶剤（例えば、住友スリーエム社製）が適している。【００１４】  ここで、方向マーク６Ａは、手摺ベルト６の表面色とは色差、明度差のある黄色、灰色、白色等任意の色が選定される。また、上記方向マーク６Ａの間隔Ｐ内には「手摺をつかめ」的な安全利用のための文言や広告等を印刷して設けることも可能であり、対象とする設備もエスカレーター１だけでなく、類似的機構の動く歩道にも適用できる。さらに、本発明は、発明の名称である視覚弱者、あるいは高齢者の利用に限定されるものではなく、健常者、知的障害者等制限なく利用することができる。
【産業上の利用可能性】
【００１５】  以上説明したように上記実施形態によれば、手摺ベルトに対して方向マークによる視認生向上のほか、手摺ベルトの把持性向上という安全上有効な印刷シートとなり、特に視覚弱者、高齢者等に好適なエスカレーターを提供することができる。
【符号の説明】
【００１６】１  エスカレーター
４  踏段群
５  欄干
５Ａ、５Ｂ  反転部
６  手摺ベルト
６Ａ  方向マーク
６ＡＡ  印刷シート
ｎ  滑り止め部
【図１】
2013216485.tif 000003
【図２】
2013216485.tif 000004
【図３】
2013216485.tif 000005
【図４】
2013216485.tif 000006